(57)【要約】【課題】放射部から放射されるエネルギーが被記録媒体などに伝達されることを抑制可能な手段を提供する。【解決手段】印刷装置１０は、シートを搬送方向に搬送する第１搬送ローラ対５４及び第２搬送ローラ対５５と、シートにインクを付着させる印刷ヘッド２４と、搬送方向において印刷ヘッド２４の下流に位置しており、インクが付着されたシートに赤外光を輻射するヒータ２６と、ヒータ２６とシートとの間に位置するシャッタ機構４３と、を具備する。シャッタ機構４３は、上下方向７に沿う複数の長孔４９，５０が連通する開状態と、長孔４９，５０が閉塞される閉状態とに状態変化する。【選択図】図４
2020146870.tif 000002
【特許請求の範囲】
【請求項１】
被記録媒体を搬送方向に搬送する搬送部と、
上記搬送部に搬送される被記録媒体に記録材を付着させる付着部と、
上記搬送方向において上記付着部の上流又は下流の少なくともいずれか一方に位置しており、上記被記録媒体にエネルギーを放射する放射部と、
上記放射部と上記被記録媒体との間に位置するシャッタと、を具備しており、
上記シャッタは、上記放射部と上記被記録媒体とが向き合う放射方向に沿う開口が複数形成される開状態と、当該複数の開口が閉塞される閉状態とに状態変化する記録装置。
【請求項２】
上記シャッタは、複数の孔を有する第１部材と、複数の孔を有する第２部材と、を具備しており、
上記開状態において、上記第１部材の複数の孔の少なくとも一部と、上記第２部材の複数の孔の少なくとも一部とが重なって、上記複数の開口をそれぞれ形成しており、
上記閉状態において、上記第１部材の複数の孔と、上記第２部材の複数の孔とが重ならない請求項１に記載の記録装置。
【請求項３】
上記複数の孔は、上記搬送方向に沿って延びる長孔である請求項２に記載の記録装置。
【請求項４】
上記長孔は、上記搬送方向の下流端が、上記搬送方向の上流端よりも、上記搬送方向と直交し且つ上記被記録媒体を支持する支持面に沿った幅方向の中央よりも、当該幅方向の外に位置する請求項３に記載の記録装置。
【請求項５】
上記第１部材は、上記第２部材よりも上記放射部に近い位置にある金属製のものであり、
上記第２部材は、樹脂製のものであって、上記閉状態において、上記放射部に対して露出されないように上記第１部材に覆われる請求項２から４のいずれかに記載の記録装置。
【請求項６】
上記第２部材が、上記第１部材に対して、上記搬送方向と直交し且つ上記被記録媒体の記録面に沿った幅方向に移動することによって上記開状態と上記閉状態とに状態変化する請求項２から５のいずれかに記載の記録装置。
【請求項７】
上記シャッタは、軸周りに回動する複数の回動部材を有しており、
上記回動部材の回動によって上記開状態と上記閉状態とに状態変化する請求項１に記載の記録装置。
【請求項８】
上記軸は、上記搬送方向と直交し且つ上記被記録媒体を支持する支持面に沿った幅方向に沿っている請求項７に記載の記録装置。
【請求項９】
上記開状態において、上記回動部材の上端は、その下端よりも、上記搬送方向の上流に位置する請求項８に記載の記録装置。
【請求項１０】
上記シャッタは、上記開状態の開口よりも開口面積が小さい開口となる中間状態に更に状態変化するものである請求項１から９のいずれかに記載の記録装置。
【請求項１１】
上記放射部は、上記付着部より搬送方向の下流に位置するヒータである請求項１から１０のいずれかに記載の記録装置。
【請求項１２】
上記付着部は、被記録媒体に液体を吐出するヘッドである請求項１から１１のいずれかに記載の記録装置。
【請求項１３】
上記付着部は、被記録媒体にトナーを付着させる現像装置である請求項１から１１のいずれかに記載の記録装置。
【発明の詳細な説明】
【技術分野】
【０００１】
本発明は、被記録媒体に記録材を付着させる付着部と、被記録媒体にエネルギーを放射する放射部と、放射部と被記録媒体との間に位置するシャッタと、を具備する記録装置に関する。
【背景技術】
【０００２】
被記録媒体に記録する記録装置の一例として、ヘッドから吐出されたインクがシートに付着することによって印刷が行われる印刷装置が知られている。この印刷装置は、インクが乾燥するまでに時間を短縮するために、シートを加熱するハロゲンヒータを有する（特許文献１参照）。
【先行技術文献】
【特許文献】
【０００３】
【特許文献１】特開２００３−１７０５７３号公報
【発明の概要】
【発明が解決しようとする課題】
【０００４】
印刷装置において、シート詰まりなどが生じると、シートの搬送が停止する。ハロゲンヒータと対向する位置にシートが停止すると、ハロゲンヒータの電源がオフにされたとしても、余熱によってシートが加熱される。また、ハロゲンヒータに限らず、例えば紫外線照射装置など、インクの硬化のためなどにシートにエネルギーを放射する装置からは、メンテナンスなどの印刷していないときにおいて、エネルギーが装置外へ漏れ出さないことが望ましい。
【０００５】
また、電子写真方式で印刷を行う印刷装置には、シートに付着したトナーをシートに定着させるためのヒータを有するものがある。電子写真方式の印刷装置においても、ヒータと対向する位置にシートが停止すると、余熱によってシートが加熱される。また、前述と同様に、メンテナンスなどの印刷していないときにおいて、ヒータの余熱が装置外へ漏れ出さないことが望ましい。
【０００６】
本発明は、前述された事情に鑑みてなされたものであり、その目的は、放射部から放射されるエネルギーが被記録媒体などに伝達されることを抑制可能な手段を提供することにある。
【課題を解決するための手段】
【０００７】
本発明に係る記録装置は、被記録媒体を搬送方向に搬送する搬送部と、上記搬送部に搬送される被記録媒体に記録材を付着させる付着部と、上記搬送方向において上記付着部の下流に位置しており、上記搬送方向において上記付着部の上流又は下流の少なくともいずれか一方に位置しており、上記被記録媒体にエネルギーを放射する放射部と、上記放射部と上記被記録媒体との間に位置するシャッタと、を具備する。上記シャッタは、上記放射部と上記被記録媒体とが向き合う放射方向に沿う開口が複数形成される開状態と、当該複数の開口が閉塞される閉状態とに状態変化する。
【０００８】
上記構成によれば、シャッタが開状態であるときに、記録材が付着された被記録媒体に放射部から放射されたエネルギーが伝達される。シャッタが閉状態であるときに、放射部からシャッタを超えてエネルギーが放射されることが抑制される。開状態において、放射部からエネルギーを放射する領域に対して複数の開口が形成されているので、各開口を小さくすることができる。その結果、各開口において、開状態と閉状態とにシャッタが状態変化するための移動距離が短くなって、シャッタが迅速に状態変化する。
【発明の効果】
【０００９】
本発明によれば、放射部から放射されるエネルギーが被記録媒体などに伝達されることを抑制できる。
【図面の簡単な説明】
【００１０】
【図１】図１は、印刷装置１０の前壁３１側の斜視図である。
【図２】図２は、図１のＩＩ−ＩＩ断面の模式図である。
【図３】図３（Ａ）は、第１部材４５を示す平面図であり、図３（Ｂ）は、第２部材４６を示す平面図である。
【図４】図４（Ａ）は、開状態のシャッタ機構４３を示す平面図であり、図４（Ｂ）は、閉状態のシャッタ機構４３を示す平面図である。
【図５】図５（Ａ）は、開状態のシャッタ機構４３を示すヒータ２６のＶ−Ｖ断面図であり、図５（Ｂ）は、閉状態のシャッタ機構４３を示すヒータ２６のＶ−Ｖ断面図である。
【図６】図６（Ａ）は、開状態のシャッタ機構４３を示すヒータ２６のＶＩ−ＶＩ断面図であり、図６（Ｂ）は、閉状態のシャッタ機構４３を示すヒータ２６のＶＩ−ＶＩ断面図である。
【図７】図７（Ａ）は、閉状態のシャッタ機構８０を示す模式図であり、図７（Ｂ）は、開状態のシャッタ機構８０を示す模式図である。
【図８】図８は、中間状態のシャッタ機構８０を示す模式図である。
【図９】図９は、感光体ドラム９０と定着ローラ９１との間にヒータ２６が設けられた変形例を示す模式図である。
【発明を実施するための形態】
【００１１】
以下、本発明の実施形態に係る印刷装置１０について説明する。なお、以下に説明される実施形態は本発明の一例にすぎず、本発明の要旨を変更しない範囲で、実施形態を適宜変更できることは言うまでもない。また、以下の説明では、矢印の起点から終点に向かう進みが向きと表現され、矢印の起点と終点とを結ぶ線上の往来が方向と表現される。また、以下の説明においては、印刷装置１０が使用可能に設置された状態（図１の状態）を基準として上下方向７が定義され、排出口１３が設けられている側を手前側（前面）として前後方向８が定義され、印刷装置１０を手前側（前面）から視て左右方向９が定義される
【００１２】
［印刷装置１０の外観構成］
図１に示されるように、印刷装置１０（記録装置の一例）は、インクジェット記録方式でロール紙１１（被記録媒体の一例、図２参照）などに画像を記録する。筐体１４は、前壁３１に排出口１３が形成された概ね直方体形状である。排出口１３は、前壁３１の右部に位置する。筐体１４は、卓上に載置可能な大きさである。すなわち、印刷装置１０は、卓上に載置されて使用されるのに適している。もちろん、印刷装置１０は、床面に載置されて使用されてもよい。
【００１３】
前壁３１における排出口１３の左方に、操作パネル１７が位置する。操作パネル１７は、例えば、ディスプレイや入力キーなどを有する。ユーザは、操作パネル１７において印刷装置１０を動作させたり各種設定を確定したりするための入力を行う。
【００１４】
操作パネル１７の下方にカバー１６が設けられている。カバー１６が開かれることにより、筐体１４の内部空間が露出される。カバー１６の後方には後述するタンク７０（図２参照）が位置する。
【００１５】
［印刷装置１０の内部構成］
図２に示されるように、筐体１４の内部空間には、搬送路２２が形成されている。筐体１４の内部空間には、ロール紙１１、給送ローラ２０、給送ローラ２１、第１搬送ローラ対５４、第２搬送ローラ対５５、印刷ヘッド２４、プラテン２５、ヒータ２６、及びタンク７０が配置されている。なお、筐体１４の内部空間には、前述の他、印刷ヘッド２４を覆うキャップ（図示省略）、制御基板（図示省略）、電源回路（図示省略）、メンテナンスユニット（図示省略）などが配置されていてもよい。
【００１６】
図２に示されるように、印刷ヘッド２４は、２つの吐出モジュール２４２を有する。２つの吐出モジュール２４２は、印刷ヘッド２４において、前後方向８に離れて配置されている。各吐出モジュール２４２において、複数のノズル３０が左右方向９に並んで配置されている。
【００１７】
図２に示されるように、筐体１４の内部空間は、ロール紙１１を収容可能なシート収容空間１５を有する。シート収容空間１５は、筐体１４の内部空間の後部に形成されている。シート収容空間１５は、隔壁１８によって画定された空間である。シート収容空間１５において、ロール紙１１は、左右方向９をロール軸方向として収容されている。シート収容空間１５は、後部において上方へ向かって開口している。隔壁１８と、後壁３２との間に、ロール紙１１から引き出されたシートが通過可能な隙間２９が形成されている。
【００１８】
給送ローラ２０は、シート収容空間１５に位置する。給送ローラ２１は、筐体１４の内部空間のうちシート収容空間１５の直上に位置する。ロール紙１１から後方へ引き出されたシートは、給送ローラ２０に巻き付いて上方へ延び、さらに給送ローラ２１へ巻き付いて前方へ延びている。給送ローラ２１の円周面の最上位置は、上下方向７において、排出口１３と同等である。
【００１９】
図２に示されるように、給送ローラ２１と排出口１３とに亘って搬送路２２が形成されている。搬送路２２は、ほぼ直線状に延びている。搬送路２２は、シートが通過可能な空間である。各図には詳細に示されていないが、搬送路２２は、上下方向７に離れて位置するガイド部材（図示省略）や印刷ヘッド２４、プラテン２５、ヒータ２６などによって画定されている。搬送路２２において、前向きが搬送向きである。
【００２０】
図２に示されるように、搬送路２２における印刷ヘッド２４よりも搬送向きの上流に、第１搬送ローラ対５４が設けられている。第１搬送ローラ対５４は、第１搬送ローラ６０とピンチローラ６１とを有する。搬送路２２において、ヒータ２６よりも搬送向きの下流に、第２搬送ローラ対５５が設けられている。第２搬送ローラ対５５は、第２搬送ローラ６２とピンチローラ６３とを有する。第１搬送ローラ６０及び第２搬送ローラ６２は、モータ（不図示）の回転が伝達されて回転する。第１搬送ローラ対５４及び第２搬送ローラ対５５は、それぞれを構成する各ローラの間にロール紙１１から延びたシートを挟持した状態において、第１搬送ローラ６０及び第２搬送ローラ６２が回転することによって、シートを搬送向きに搬送する。給送ローラ２０，２１、第１搬送ローラ対５４、及び第２搬送ローラ対５５が搬送部の一例である。
【００２１】
第１搬送ローラ対５４と第２搬送ローラ対５５との間の搬送路２２に、印刷ヘッド２４、プラテン２５、及びヒータ２６が位置する。また、第１搬送ローラ対５４と第２搬送ローラ対５５との間の搬送路２２には、他の搬送ローラは位置していない。
【００２２】
印刷ヘッド２４（付着部の一例）は、第１搬送ローラ対５４よりも搬送向きの下流において、搬送路２２を挟んでプラテン２５と対向しており、プラテン２５及び搬送路２２の上方に位置している。印刷ヘッド２４は、搬送路２２及びプラテン２５（またはプラテン２５に支持されているシート）へ向けて、複数のノズル３０からインクを吐出する。
【００２３】
複数のノズル３０は、吐出モジュール２４２の下面において、左右方向９に並んで形成されている。なお、図２では、複数のノズル３０は、各吐出モジュールにおいて一列のみ示されているが、複数のノズル３０は、１つの吐出モジュール２４２において搬送向きに複数列が設けられている。複数のノズル３０の左右方向９の両端が、搬送路２２の左右方向９の両端と対向する。図２に示されるように、筐体１４の内部空間におけるカバー１６の後方に、タンク７０が位置する。タンク７０にインクが貯留される。図示されていないが、タンク７０からチューブ（図示省略）を通じてインクが印刷ヘッド２４に供給される。
【００２４】
インク（記録材の一例）は、顔料や樹脂微粒子などを含む液体であり、所謂ラテックスインクである。インクは、顔料や樹脂微粒子を均一に分散させるに適した粘度を有している。顔料は、インクの色となるものである。樹脂微粒子は、シートに顔料を付着するためのものであり、例えば、ヒータ２６の加熱によってガラス転移温度を超える合成樹脂である。ラテックスインクは、その他の公知の成分を組成として含む。
【００２５】
図２に示されるように、印刷ヘッド２４の下方に、プラテン２５が位置する。プラテン２５は、その上面がシートの支持面である。各図には現れていないが、プラテン２５の上面には、吸引圧が生ずる開口が形成されている。プラテン２５の上面に生じた吸引圧によって、シートがプラテン２５の上面に密接する。
【００２６】
図２に示されるように、搬送路２２の上方において、印刷ヘッド２４の下流であって、且つ第２搬送ローラ対５５の上流に、ヒータ２６（放射部の一例）が位置する。ヒータ２６は、所謂ハロゲンヒータである。
【００２７】
図２に示されるように、ヒータ２６は、赤外線（エネルギーの一例）を放射する発熱体であるハロゲンランプ４０、反射板４１、筐体４２、及びシャッタ機構４３を有する。筐体４２は、概ね直方体形状であり、下向きに開口する。筐体４２の下壁に、シャッタ機構４３が位置する。シャッタ機構４３を通じて、ハロゲンランプ４０や反射板４１からの熱が外部へ放射されたり、遮断されたりする。
【００２８】
筐体４２の内部空間に、ハロゲンランプ４０が位置する。ハロゲンランプ４０は、細長な円筒形状であり、左右方向９が長手方向である。筐体４２の内部空間において、ハロゲンランプ４０の上方に、反射板４１が位置する。反射板４１は、セラミック膜などがコーティングされた金属板であり、開口４３付近を中心軸とする円弧形状に湾曲している。なお、反射板４１に代えて、セラミック膜などがコーティングされたハロゲンランプ４０が用いられてもよい。
【００２９】
ヒータ２６は、シャッタ機構４３の下方を通過するシート、または当該シートに付着したインクの少なくとも一方を加熱する。本実施形態では、ヒータ２６は、シート及びインクの双方を加熱する。インクが加熱されることによって、樹脂微粒子がガラス転移し、ヒータ２６の下方を通過したシートが冷えることによって、ガラス転移した樹脂が硬化する。これにより、シートにインクが定着される。
【００３０】
以下、ヒータ２６のシャッタ機構４３の構成が詳述される。
図２に示されるように、シャッタ機構４３は、筐体４２の下壁を構成している。図３に示されるように、シャッタ機構４３は、平板形状の第１部材４５及び第２部材４６と、第２部材を移動させるソレノイド４７及びコイルバネ４８と、を有する。
【００３１】
図３（Ａ）に示されるように、第１部材４５は、表裏面が前後方向８及び左右方向９にそれぞれ拡がる平板形状の金属板である。第１部材４５の前後方向８に沿った寸法、及び左右方向９に沿った寸法それぞれは、筐体４２の前後方向８に沿った寸法、及び左右方向９に沿った寸法それぞれと同程度である。なお、第１部材４５は、筐体４２の下壁として、筐体４２と一体に形成されていてもよい。
【００３２】
第１部材４５は、前後方向８（搬送方向の一例）に沿って延びる複数の長孔４９を有する。上下方向７に沿った平面視において、長孔４９は、概ね菱形である。菱形の長孔４９を区画する４つの縁のうち、左右方向９において対向する２つの縁は平行である。長孔４９は、第１部材４５を厚み方向（上下方向７）に貫通している。長孔４９が前後方向８に沿って延びるとは、長孔４９の長手方向４９Ａ（図３（Ａ）において破線で示される仮想線の方向。）が概ね前後方向８に沿っていることを意味しており、必ずしも長孔４９の長手方向４９Ａが前後方向８と平行である必要はない。複数の長孔４９は、左右方向９に間隔を空けて並んでいる。左右方向９において隣り合う長孔４９の間隔は、長孔４９の左右方向９の寸法と同等以上であることが好ましい。
【００３３】
本実施形態では、各長孔４９の長手方向４９Ａは、前後方向８と交差している。各長孔４９は、前後方向８の前端４９Ｆ（搬送方向の下流端の一例）が、前後方向８の後端４９Ｒ（搬送方向の上流端の一例）よりも、左右方向９（搬送方向と直交し且つ被記録媒体の支持面に沿った幅方向の一例）の中央Ｃよりも、左右方向９の外に位置する。したがって、各長孔４９は、中央Ｃに対して概ね線対称の形状であるが、各長孔４９の形状や大きさは、必ずしも線対称である必要はない。なお、前端４９Ｆが後端４９Ｒよりも左右方向９の外に位置するとは、前端４９Ｆの左右方向９における範囲と後端４９Ｒの左右方向９における範囲とが、一部重複する位置関係を含む。すなわち、左右方向９において、前端４９Ｆの少なくとも一部が、後端４９Ｒよりも外に位置していればよい。
【００３４】
図３（Ｂ）に示されるように、第２部材４６は、表裏面が前後方向８及び左右方向９にそれぞれ拡がる平板形状の合成樹脂板である。第２部材４６の外形は、第１部材４６の外形と同等である。
【００３５】
第２部材４６には、前後方向８（搬送方向の一例）に沿って延びる複数の長孔５０を有する。上下方向７に沿った平面視において、長孔５０は、概ね菱形である。菱形の長孔５０を区画する４つの縁のうち、左右方向９において対向する２つの縁は平行である。長孔５０は、第２部材４６を厚み方向（上下方向７）に貫通する。長孔５０が前後方向８に沿って延びるとは、長孔５０の長手方向５０Ａ（図３（Ｂ）において破線で示される仮想線の方向。）が概ね前後方向８に沿っていることを意味しており、必ずしも長孔５０の長手方向５０Ａが前後方向８と平行である必要はない。複数の長孔５０は、左右方向９に間隔を空けて並んでいる。左右方向９において隣り合う長孔５０の間隔は、長孔５０の左右方向９の寸法と同等以上であることが好ましい。
【００３６】
本実施形態では、各長孔５０の長手方向５０Ａは、前後方向８と交差している。各長孔５０は、前後方向８の前端５０Ｆ（搬送方向の下流端の一例）が、前後方向８の後端５０Ｒ（搬送方向の上流端の一例）よりも、左右方向９（搬送方向と直交し且つ被記録媒体の記録面に沿った幅方向の一例）の中央Ｃよりも、左右方向９の外に位置する。したがって、各長孔５０は、中央Ｃに対して概ね線対称の形状であるが、各長孔５０の形状や大きさは、必ずしも線対称である必要はない。なお、前端５０Ｆが後端５０Ｒよりも左右方向９の外に位置するとは、前端５０Ｆの左右方向９における範囲と後端５０Ｒの左右方向９における範囲とが、一部重複する位置関係を含む。すなわち、左右方向９において、前端５０Ｆの少なくとも一部が、後端５０Ｒよりも外に位置していればよい。
【００３７】
第１部材４５の各長孔４９の外形及び配置と、第２部材４６の各長孔５０の外形及び配置とは対応している。したがって、第１部材４５と第２部材４６とは、各長孔４９と各長孔５０とが上下方向７に連通する位置関係になり得る。第１部材４５の各長孔４９の外形は、第２部材４６において対応する各長孔５０の外形と同等であるか若干小さい。
【００３８】
第２部材４６は、第１部材４５の下方にある。すなわち、第２部材４６は、第１部材４５ハロゲンランプ４０より遠い位置にある。第２部材４６は、第１部材４５に対して左右方向９に沿って移動可能である。第２部材４６の移動は、例えば、第１部材４５又は他の部材に設けられたスライドガイド（図示省略）によって左右方向９に沿って案内される。
【００３９】
第２部材４６が、第１部材４５に対して左右方向９に沿って移動することにより、シャッタ機構４３は、開状態と閉状態とに状態変化する。図４（Ａ）、図５（Ａ）、及び図６（Ａ）に示されるように、開状態では、第１部材４４の各長孔４９と第２部材４６の各長孔５０とが重なって上下方向７（放射方向の一例）に連通する。開状態において、第２部材４６の上面は、第１部材４５によって覆われており、ハロゲンランプ４０に対して露出されない。図４（Ｂ）、図５（Ｂ）、及び図６（Ｂ）に示されるように、閉状態では、第１部材４４の各長孔４９と第２部材４６の各長孔５０とが重ならず、第１部材４５及び第２部材４６において上下方向７に連通する開口が形成されない。
【００４０】
コイルバネ４８は、第２部材４６を閉状態となる方向へ付勢する。ソレノイド４７は、駆動されることによって、コイルバネ４８の付勢に抗して、第２部材４６を開状態となる方向へ移動させる。したがって、ソレノイド４７が駆動されない状態において、シャッタ機構４３は閉状態であり、ソレノイド４７が駆動された状態において、シャッタ機構４３は開状態である。
【００４１】
ソレノイド４７の駆動は、不図示のコントローラ（制御基板に実装されたＣＰＵなど）により制御される。例えば、コントローラは、ハロゲンランプ４０に通電して印刷を開始すると、ソレノイド４７を駆動して、シャッタ機構４３を開状態とする。ハロゲンランプ４０から放射された赤外光（エネルギーの一例）は、開状態の長孔４９，５０を通じて、ヒータ２６の下方を搬送されるシート及びインクに照射される。コントローラは、ハロゲンランプ４０への通電を停止して印刷を終了すると、ソレノイド４７の駆動を停止して、シャッタ機構４３を閉状態とする。ハロゲンランプ４０への通電を停止しても、ヒータ２６から余熱、特に筐体４２内における空気の熱が周囲に伝達されるが、閉状態のシャッタ機構４３によって、余熱がヒータ２６の下方へ伝達され難い。また、コントローラは、例えば、シートの紙詰まりが生じたと判定したことに応じて、ソレノイド４７の駆動を停止して、シャッタ機構４３を閉状態とする。
【００４２】
［実施形態の作用効果］
上記実施形態によれば、シャッタ機構４３が開状態であるときに、インクが付着したシートにハロゲンランプ４０から赤外光が輻射される。シャッタ機構４３が閉状態であるときに、ハロゲンランプ４０からシャッタ機構４３を超えて熱が伝導されることが抑制される。開状態において、ハロゲンランプ４０からの赤外光に対して各長孔４９，５０が連通して開口が形成される。ハロゲンランプ４０全体に対して１つの開口を形成するのではなく、複数の開口が形成されることによって、各開口が小さくなる。その結果、各開口、すなわち各長孔４９，５０が連通された開状態と、各長孔４９，５０とが重ならない閉状態とにシャッタ機構４３が状態変化するために、第２部材４６が移動する距離が比較的短くなるので、シャッタ機構４３が迅速に状態変化する。
【００４３】
また、各長孔４９，５０は、前後方向８に沿って延びる長孔なので、搬送方向に搬送されるシートが各長孔４９，５０の縁に当接することによるシートの搬送への影響が生じ難い。例えば、シートの左右方向９の端が各長孔４９，５０の縁に当接しても、紙詰まりなどが生じ難い。
【００４４】
また、各長孔４９，５０は、前端４９Ｆ，５０Ｆが後端４９Ｒ，５０Ｒよりも、左右方向９の中央Ｃより外に位置するので、前後方向８に搬送されるシートにおいて、開状態の各長孔４９，５０の直下に位置しない領域が生じ難い。これにより、前後方向８に搬送されるシートにハロゲンランプ４０からの赤外光が照射されない領域が生じ難い。また、シートの左右方向９の端が各長孔４９，５０の縁に当接しても、当該端が左右方向９の外へ案内されるので、紙詰まりなどが生じ難い。
【００４５】
なお、上記実施形態では、開状態のシャッタ機構４３において、第１部材４５の複数の長孔４９と、第２部材４６の複数の長孔５０とが重なって連通するが、開状態において、長孔４９，５０は完全に重なる必要はなく、少なくとも一部が重なって上下方向７に連通する開口を形成すればよい。また、閉状態のシャッタ機構４３においても同様に、長孔４９，５０は完全に重ならない必要はなく、長孔４９，５０が連通して形成される開口の面積（上下方向７に沿って視た投影面積）が、開状態より小さければよい。
【００４６】
［変形例］
上記実施形態におけるシャッタ機構４３は、第１部材４５に対して第２部材４６が左右方向に移動することによって、長孔４９，５０が連通する開状態と、長孔４９，５０が連通しない閉状態との状態変化をするが、シャッタ機構の構成はこれに限らない。以下、変形例に係るシャッタ機構８０が説明される。なお、シャッタ機構８０において、シャッタ機構４３と同じ参照符号が示されている部材は、同等のものである。
【００４７】
図７に示されるように、シャッタ機構８０は、左右方向９（搬送方向（前後方向９）と直交し且つ被記録媒体の記録面に沿った幅方向の一例）に沿って延びる各軸８１周りに回動する複数の羽根板８２（回動部材の一例）を有する。各軸８１は、ヒータ２６の筐体４２において、下向きの開口付近に、前後方向８に間隔を空けて並んでいる。羽根板８２は、軸８１の軸線方向（左右方向９）に細長な平板形状である。羽根板８２は軸８１から前後方向８の後ろ向き（搬送方向の下流向き）へ延びている。軸８１の長さ、及び羽根板８２の軸線方向の長さは、筐体４２の開口の左右方向９の長さと同程度である。
【００４８】
図７には示されていないが、各軸８１には、モータから駆動伝達されて回転する。各軸８１の回転は同期されている。各軸８１の回転に伴って各羽根板８２が軸８１周りに回動する。各羽根板８２の回動によって、シャッタ機構８０は、図７（Ａ）に示される開状態と、図７（Ｂ）に示される閉状態との状態変化をする。
【００４９】
図７（Ａ）に示されるように、開状態において、各羽根板８２は、各軸８１から上方へ向かって延びる。開状態において、前後方向８の各羽根板８２の間が開口として機能し、ハロゲンランプ４０からの赤外光が各羽根板８２の間を通じて筐体４２の下方へ照射される。各羽根板８２の間が左右方向９に連続しているので、前後方向８に沿って搬送されるシートに対して、ハロゲンランプ４０からの赤外光が照射されない領域が生じ難い。
【００５０】
図７（Ｂ）に示されるように、閉状態において、各羽根板８２は、各軸８１から前後方向８の後方へ向かって延びる。閉状態において、各羽根板８２は、前後方向８において若干重なり合う。したがって、前後方向８において各羽根板８２に隙間が生じない。これにより、ハロゲンランプ４０の余熱が筐体４２の下方へ伝達され難い。
【００５１】
なお、図８に示されるように、シャッタ機構８０は、開状態と閉状態との間の中間状態にされてもよい。中間状態において、各羽根板８２は、各軸８１から上方且つ後方へ向かって斜めに延びる。各羽根板８２の下面が水平面（前後方向８及び左右方向９に沿った面）に対してなす角度は、例えば約４５度である。
【００５２】
中間状態において、前後方向８の各羽根板８２の間が開口として機能する。中間状態における開口の前後方向８に沿った寸法は、開状態における開口の前後方向８に沿った寸法よりも短い。したがって、中間状態の開口面積は、開状態の開口面積よりも小さい。また、図６において破線で示されるように、中間状態において、ハロゲンランプ４０からの赤外光は、各羽根板８２に反射して下方へ向かう。中間状態において、ハロゲンランプ４０の赤外光が筐体４２の下方へ輻射される強度は、開状態よりも弱い。
【００５３】
また、シャッタ機構８０において、図７（Ａ）に示される開状態に代えて、図６に示される中間状態が開状態とされてもよい。すなわち、シャッタ機構８０は、開状態において図６に示される状態となり、閉状態において図７（Ｂ）に示される状態となる。図６に示される状態では、羽根板８２の上端は、その羽根板８２の下端よりも搬送方向の上流に位置する。これにより、シャッタ機構８０の下方を搬送されるシートの先端が、羽根板８２に当接したとしても、シートの先端が羽根板８２の下面に案内されて下方へ向かうので、シートの搬送に影響が生じ難い。
【００５４】
［その他の変形例］
前述された実施形態では、シャッタ機構４３の長孔４９，５０は菱形であったが、長孔４９，５０の外形は、その他の多角形や円形、楕円形などであってもよい。また、シャッタ機構４３では、第２部材４６が第１部材４５に対して左右方向９に移動したが、第２部材４６が第１部材４５に対して前後方向８に移動してもよいし、前後方向８及び左右方向９と交差する斜め方向へ移動してもよい。
【００５５】
前述された変形例に係るシャッタ機構８０では、各軸８１は、左右方向９に沿って延びているが、これに代えて各軸８１が前後方向８に沿って延びていてもよい。また、閉状態のシャッタ機構８０において、羽根板８２は、軸８１から前後方向８の後ろ向きへ延びているが、これに代えて、羽根板８２が軸８１から前向きに延びてもよいし、前向き及び後ろ向きの両方向へ延びてもよい。
【００５６】
前述された実施形態では、放射部の一例がヒータ２６であるが、放射部は、例えば、ＵＶにより硬化するインクに対して照射されるＵＶランプなどであってもよい。
【００５７】
また、シートに付着する記録材はインクに限定されず、例えば、電子写真式の印刷に用いられるトナーであってもよい。その場合、放射部としてのヒータは、シートにトナーを固定するために、トナーを溶融する。例えば、図９に示されるように、感光体ドラム９０（現像装置の一例）と、シートにトナーを圧着させる定着ローラ９１との間の搬送路９２に、シャッタ機構４３を有するヒータ２６が設けられてもよい。印刷動作において、感光体ドラム９０によってシートにトナーが付着され、シャッタ機構４３が開状態にされて、ヒータ２６によりトナーが加熱され、定着ローラ９１によって加熱されたトナーがシートに圧着される。そして、印刷動作が終了すると、シャッタ機構４３が閉状態に状態変化をする。
【００５８】
また、排出口１３は、必ずしも筐体１４の前壁３１に形成されていなくてもよい。例えば、排出口１３が筐体１４の後壁３３に形成されて、排出口１３を通過する印刷済みのロール紙１１が、斜め上方や上方に排出されてもよい。
【００５９】
また、前述した印刷装置１０は、ロール紙１１に印刷することが可能であるが、これに限らず、例えば、印刷装置１０は、ロール紙１１と裁断紙とに印刷する装置であってもよいし、裁断紙のみに印刷する装置であってもよい。
【００６０】
また、前述された印刷装置１０は、筐体１４の前壁３１及び後壁３２が上下方向７及び左右方向９に沿った状態で使用されるが、印刷装置１０の使用姿勢はこれに限らない。
【符号の説明】
【００６１】
１０・・・印刷装置（記録装置）
１１・・・ロール紙（被記録媒体）
５４・・・第１搬送ローラ対（搬送部）
５５・・・第２搬送ローラ対（搬送部）
２４・・・印刷ヘッド（ヘッド、付着部）
２６・・・ヒータ（放射部）
４４，８０・・・シャッタ機構（シャッタ）
４５・・・第１部材
４６・・・第２部材
４９，５０・・・長孔（孔）
８１・・・軸
８２・・・羽根板（回動部材）
９０・・・感光体ドラム（付着部、現像装置）
【図１】
2020146870.tif 000003
【図２】
2020146870.tif 000004
【図３】
2020146870.tif 000005
【図４】
2020146870.tif 000006
【図５】
2020146870.tif 000007
【図６】
2020146870.tif 000008
【図７】
2020146870.tif 000009
【図８】
2020146870.tif 000010
【図９】
2020146870.tif 000011